(57)【特許請求の範囲】
【請求項１】
三波長管からなる蛍光灯を光源とするサイドライト型又は直下型の面光源上に光学素子が配置された面光源装置であって、
前記光学素子において、グランジャン配向のコレステリック液晶層が、円偏光の選択反射波長域が同じ可視光帯域となり、かつ選択反射される円偏光の左右が逆転する組合せで積層されており、前記選択反射波長域の短波長側の端の波長は、前記蛍光灯の輝線の波長λ１（ｎｍ）よりもλ２（ｎｍ）長く、λ２≧１０であり、前記面光源から前記光学素子に入射する前記波長λ１の可視光を、θ未満の入射角で入射したときには透過させ、θ以上の入射角で入射したときには遮光することを特徴とする面光源装置。
【請求項２】
三波長管からなる蛍光灯を光源とするサイドライト型又は直下型の面光源上に光学素子が配置された面光源装置であって、
前記光学素子において、グランジャン配向のコレステリック液晶層が、円偏光の選択反射波長域が同じ可視光帯域となり、かつ選択反射される円偏光の左右が同じとなる組合せで１／２波長板を介して積層されており、前記選択反射波長域の短波長側の端の波長は、前記蛍光灯の輝線の波長λ１（ｎｍ）よりもλ２（ｎｍ）長く、λ２≧１０であり、前記面光源から前記光学素子に入射する前記波長λ１の可視光を、θ未満の入射角で入射したときには透過させ、θ以上の入射角で入射したときには遮光することを特徴とする面光源装置。
【請求項３】
請求項１又は２において、前記光学素子は、円偏光の選択反射波長域が５５０〜６１０nmの範囲内にあるコレステリック液晶層と６１０〜８００nmの範囲内にあるコレステリック液晶層、又はそれらと４４０〜５５０nmの範囲内にあるコレステリック液晶層を用いたものである面光源装置。
【請求項４】
請求項１から３のいずれか一項において、前記光学素子は、最外層のコレステリック液晶層の外側に粘着層を介して二色性偏光板が接着された光学素子である面光源装置。
【請求項５】
請求項４において、前記光学素子は、二色性偏光板を有する側に１層又は２層以上の位相差板が粘着層を介して接着された光学素子である面光源装置。
【請求項６】
グランジャン配向のコレステリック液晶層を、円偏光の選択反射波長域が同じ可視光帯域となり、かつ選択反射される円偏光の左右が逆転する組合せで積層してなり、請求項１および３から５のいずれか一項に記載の面光源装置に用いられることを特徴とする光学素子。
【請求項７】
グランジャン配向のコレステリック液晶層を、円偏光の選択反射波長域が同じ可視光帯域となり、かつ選択反射される円偏光の左右が同じとなる組合せで１／２波長板を介し積層してなり、請求項２から５のいずれか一項に記載の面光源装置に用いられることを特徴とする光学素子。
【請求項８】
請求項１から５のいずれか一項に記載の面光源装置を用いてなることを特徴とする液晶表示装置。
【発明の詳細な説明】
【０００１】
【発明の技術分野】
本発明は、正面指向性よく発光する面光源装置や輝度に優れる液晶表示装置を形成しうるリオフィルター型の光学素子に関する。
【０００２】
【発明の背景】
従来、サイドライト型導光板等の面光源による発散光の正面指向性を高めて正面輝度の向上を図りうる光学素子としては、プリズムシートが知られていた（特開平１０−６８８０４号公報、特開平１０−８２９０２号公報）。プリズムシートは、透明基材上に山形のプリズム形態をアレイしたものでそのプリズム形態を介し斜め方向の光を屈折させて面光源の正面（垂直）方向に向けその正面指向性を高めるものである。２枚以上のプリズムシートをそのプリズムのアレイ方向が交差するように重畳して多方向に発散する光を正面方向に集光する方式も知られている。しかしながらプリズムシートは、そのプリズム形態が接触等で傷付きやすくその傷付きは輝点や暗点の発生原因となるため面光源装置の組立時等に注意を要して取扱い難く作業性に乏しい問題点があった。また実用時にプリズムシートがフィルム等の隣接部材と密着するとプリズム機能が低下して性能低下を生じやすい問題点もあった。
【０００３】
一方、液晶表示装置等の高輝度化を図る手段としては、面光源上にグランジャン配向のコレステリック液晶層と１／４波長板からなる光学素子を配置する方式も知られていた。この方式は、前記コレステリック液晶層が示す入射自然光を反射光と透過光として左右の円偏光に分離する性質を利用して、面光源による出射光を円偏光化しそれを１／４波長板を介し直線偏光化して偏光板に供給することにより偏光板による吸収ロスを抑制して輝度を向上させるようにしたものである。従って面光源による発散光の正面指向性の向上には寄与しない。
【０００４】
【発明の技術的課題】
本発明は、隣接部材との密着による性能低下や形態の損傷を生じにくくて取扱作業性に優れると共に、正面指向性よく発光する面光源装置や輝度に優れる液晶表示装置を形成しうる光学素子の開発を課題とする。
【０００５】
【課題の解決手段】
本発明は、三波長管からなる蛍光灯を光源とするサイドライト型又は直下型の面光源上に光学素子が配置された面光源装置であって、前記光学素子において、グランジャン配向のコレステリック液晶層が、円偏光の選択反射波長域が同じ可視光帯域となり、かつ選択反射される円偏光の左右が逆転する組合せで積層され、又は当該コレステリック液晶層が、円偏光の選択反射波長域が同じ可視光帯域となり、かつ選択反射される円偏光の左右が同じとなる組合せで１／２波長板を介し積層されており、前記選択反射波長域の短波長側の端の波長は、前記蛍光灯の輝線の波長λ１（ｎｍ）よりもλ２（ｎｍ）長く、λ２≧１０であり、前記面光源から前記光学素子に入射する前記波長λ１の可視光を、θ未満の入射角で入射したときには透過させ、θ以上の入射角で入射したときには遮光することを特徴とする面光源装置、及びその面光源装置に用いられることを特徴とする光学素子、並びに前記の面光源装置を用いてなることを特徴とする液晶表示装置を提供するものである。
【０００６】
【発明の効果】
本発明によればグランジャン配向のコレステリック液晶層による特定波長域の左右一方の円偏光を選択的に反射しかつ他の光は透過させる特性、及びその左右の円偏光に対する組合せに基づいて、前記特定波長域の光を選択反射して実質的に遮光することができる。なお前記左右の円偏光に対する組合せは、選択反射される円偏光の左右が逆転する組合せに加えて、その円偏光の左右が同じとなる組合せであっても１／２波長板を介在させることで円偏光の左右を逆転させることができてその目的を達成することができる。
【０００７】
また前記の場合にコレステリック液晶層では入射角θに応じcosθの関係で選択反射の波長域が短波長側にシフトする特性を示すことから、コレステリック液晶層の選択反射波長域を制御することで正面方向（入射角０度）では前記波長λ１の可視光が透過し、その可視光がθ以上の入射角で入射したときには前記の遮光効果を生じさせて正面と入射角が一定値以内の方向の光のみが透過するものとすることができる。
【０００８】
従って前記の入射角θが所定値以上の入射光に対して遮光効果を示す光学素子と、その遮光効果を生じる波長の可視光で発光する面光源を組合せることにより正面指向性よく発光する面光源装置を形成でき、それを用いて輝度に優れる液晶表示装置を形成することができる。また本発明による光学素子は、隣接部材と密着しても性能低下を生じず、また突起等の損傷を生じやすい形態を有しないので取扱作業性にも優れている。
【０００９】
【発明の実施形態】
本発明による光学素子は、グランジャン配向のコレステリック液晶層を、円偏光の選択反射波長域が同じ可視光帯域となり、かつ選択反射される円偏光の左右が逆転する組合せで積層したもの、又は当該コレステリック液晶層を円偏光の選択反射波長域が同じ可視光帯域となり、かつ選択反射される円偏光の左右が同じとなる組合せで１／２波長板を介し積層したものよりなる。その例を図１、図２に示した。１、２がコレステリック液晶層、６が１／２波長板である。また３は粘着層、４は二色性偏光板、５は位相差板である。
【００１０】
グランジャン配向のコレステリック液晶層は、その螺旋ピッチＰに基づき式：λ＝ｎ・Ｐ・cosθにて算出される円偏光をブラッグ反射により選択的に反射し他の光は透過する（ただし、λは反射光の中心波長、ｎはコレステリック液晶分子の平均屈折率（ｎ＝（ｎe＋ｎo）／２）、θは光の入射角である）。反射される円偏光の左右は、グランジャン配向のコレステリック液晶層における螺旋方向の左右で決定される。また選択反射波長域△λは、液晶の屈折率差△ｎにより式：△λ＝△ｎ・Ｐ・cosθに基づいて中心波長λの近傍に形成される。
【００１１】
本発明においてグランジャン配向のコレステリック液晶層は、図１の例の如く円偏光の選択反射波長域が同じ可視光帯域となりかつ選択反射される円偏光の左右が逆転する組合せ（１、２）、又は図２の例の如く円偏光の選択反射波長域が同じ可視光帯域となり、かつ選択反射される円偏光の左右が同じとなる組合せ（１）で用いられ、後者の円偏光の左右が同じとなる組合せでは１／２波長板６を介して積層される。これにより同じ選択反射波長域において左右いずれの円偏光も反射する光学素子が形成され、当該波長域の光の透過が阻止される。なお前記後者の場合には１／２波長板が先のコレステリック液晶層を透過した円偏光の左右を逆転させることに基づいて後のコレステリック液晶層で反射されることとなる。
【００１２】
用いるグランジャン配向のコレステリック液晶層については、特に限定はなく上記した特性を示す適宜なものを用いうる。コレステリック液晶層は、単層物であってもよいし、グランジャン配向の螺旋ピッチが相違するもの、従って選択反射の波長域が相違するものの組合せにて２層又は３層以上を重畳した配置構造を有するものであってもよい。かかる重畳化にて選択反射の波長域を拡大することができる。
【００１３】
前記した螺旋ピッチ相違のコレステリック液晶層の重畳に際し、螺旋ピッチの大小に基づく重畳の順序については特に限定はなく、任意な重畳順序とすることができる。一般には螺旋ピッチが大小の順序通りとなるように重畳することが光利用効率の向上、ひいては輝度向上の点より有利な場合が多い。
【００１４】
なお上記した選択反射される円偏光の左右が逆転する組合せのコレステリック液晶層による光学素子を形成するときにも、前記した螺旋ピッチ相違のコレステリック液晶層の重畳方式を採りうるがその場合には、円偏光の左右が逆転するものの交互重畳方式や同じ円偏光方向のものの重畳一体化方式などの適宜な方式を採ることができ、螺旋ピッチの大小の順序を含めてその重畳方式に特に限定はない。
【００１５】
グランジャン配向のコレステリック液晶層は、低分子液晶をセル基板で狭持したセル形態のものとして得ることもできるが、取扱性や薄型化等の点よりはフィルム状ないしシート状としたものが好ましく用いられる。フィルム状等のコレステリック液晶層は、例えば液晶ポリマーによるフィルム、透明基材上にラビング処理等による配向膜を介しグランジャン配向させた液晶ポリマーによる層を付設したもの、透明基材上に配向膜を介しグランジャン配向させた低分子液晶の紫外線硬化層を付設したものなどとして得ることができる。またコレステリック液晶層の重畳層は、重ね塗り方式や別途形生物の融着方式などにより形成することができる。なお螺旋方向が逆巻きのコレステリック液晶層（円偏光の左右が逆転）の重畳層は、別途形生物を粘着層等の透明接着層を介して行うことができる。
【００１６】
前記の透明基材を形成する材料については特に限定はないが一般にはポリマーが用いられる。そのポリマーの例としては、二酢酸セルロースや三酢酸セルロースの如きセルロース系ポリマー、ポリエチレンテレフタレートやポリエチレンナフタレートの如きポリエステル系ポリマー、ポリカーボネート系ポリマーやポリメチルメタクリレートの如きアクリル系ポリマー、ポリスチレンやアクリロニトリル・スチレン共重合体の如きスチレン系ポリマー、ポリエチレンやポリプロピレン、シクロ系ないしノルボルネン構造を有するポリオレフィンやエチレン・プロピレン共重合体の如きオレフィン系ポリマー、塩化ビニル系ポリマー、ナイロンや芳香族ポリアミドの如きアミド系ポリマーがあげられる。
【００１７】
またイミド系ポリマーやスルホン系ポリマー、ポリエーテルスルホン系ポリマーやポリエーテルエーテルケトン系ポリマー、ポリフェニレンスルフィド系ポリマーやビニルアルコール系ポリマー、塩化ビニリデン系ポリマーやビニルブチラール系ポリマー、アリレート系ポリマーやポリオキシメチレン系ポリマー、エポキシ系ポリマーや前記ポリマーのブレンド物、あるいはポリエステル系やアクリル系、ウレタン系やアミド系、シリコーン系やエポキシ系等の熱や紫外線照射等で硬化するポリマーなども前記透明基材の形成に用いうる。就中セルロース系フィルムの如く等方性に優れる、ないし複屈折の少ない透明基材が好ましく用いられる。
【００１８】
図２の例の如く上記したコレステリック液晶層１を選択反射される円偏光の左右が同じとなる組合せで用いて１／２波長板６を介し積層して、透過円偏光の左右を逆転させるための１／２波長板としては、各種ポリマーの延伸フィルム等からなる複屈折性フィルム、ディスコチック系やネマチック系の如き液晶ポリマーの配向フィルム、その配向液晶層を透明基材上に支持したものなどの従来に準じた適宜なものを用いうる。
【００１９】
前記の複屈折性フィルムを形成するポリマーは、上記した透明基材で例示したものなどの適宜なものであってよい。就中、例えばポリエステル系ポリマーやポリエーテルエーテルケトンの如く結晶性に優れるポリマーが好ましく用いうる。延伸フィルムは一軸や二軸等の適宜な方式で処理したものであってよい。また熱収縮性フィルムとの接着下に収縮力又は／及び延伸力を付与する方式などによりフィルムの厚さ方向の屈折率を制御した複屈折性フィルムなどであってもよい。さらに１／２波長板は、例えば位相差相違の位相差板を光軸を交差させて積層したものの如く、１／２波長板として機能する波長域を拡大したものであってもよい。
【００２０】
図１の例の如く光学素子は、必要に応じ最外層のコレステリック液晶層の外側に粘着層３を介して二色性偏光板４や、さらにはその二色性偏光板を有する側に粘着層３を介して１層又は２層以上の位相差板を接着した形態で実用に供することもできる。斯かる二色性偏光板等との一体化は取扱作業性がより向上し、また面光源装置や液晶表示装置等の組立工程を簡易化することができる。
【００２１】
前記の二色性偏光板は、液晶表示等を達成するための直線偏光を得ることを目的とするものである。その偏光板には所定偏光軸の直線偏光を透過して他の光は吸収する適宜なものを用いることができその種類について特に限定はない。一般には偏光フィルムやその片面又は両面を透明保護層で保護したものなどが用いられる。ちなみにその偏光フィルムの例としては、ポリビニルアルコール系フィルムや部分ホルマール化ポリビニルアルコール系フィルム、エチレン・酢酸ビニル共重合体系部分ケン化フィルムの如き親水性高分子フィルムにヨウ素及び／又は二色性染料を吸着させて延伸処理したものなどがあげられる。
【００２２】
また偏光フィルムの片面又は両面に必要に応じて設ける透明保護層は、上記の透明基材で例示したポリマーなどにて形成することができる。就中、透明性や機械的強度、熱安定性や水分遮蔽性等に優れるポリマーからなる透明保護層が好ましい。透明保護層は、ポリマー液の塗布方式やフィルムとしたものの接着積層方式などの適宜な方式で形成することができる。
【００２３】
一方、上記した必要に応じての位相差板は、液晶セルの複屈折による位相差を補償して表示品位の向上を図ることなどを目的とするものである。かかる光学補償用の位相差板は通例、表示品位の向上の点より二色性偏光板と液晶セルの間に位置するように配置することが好ましい。光学補償用の位相差板としては、上記の１／２波長板に準じた複屈折性フィルムや配向液晶層などからなる適宜な位相差を有するものが用いられ、位相差等の光学特性の制御を目的に２層以上の位相差層を積層したものであってもよい。
【００２４】
また前記の位相差板は、コレステリック液晶層より出射される透過円偏光を直線偏光化するための１／４波長板であってもよい。その場合、１／４波長板からなる位相差板は通例、コレステリック液晶層と二色性偏光板の間に配置される。１／４波長板を介し直線偏光化した光をその振動面が二色性偏光板の透過軸と可及的に一致するように供給することで吸収ロスを防止して輝度をより高めることができる。前記の１／４波長板は、１／２波長板と重畳する方式などで１／４波長板として機能する波長域の拡大を図ったものなどであってもよい。
【００２５】
光学素子を形成するコレステリック液晶層や１／２波長板、必要に応じての二色性偏光板や位相差板等の各素材は単に重ね置いたものであってもよいが、光軸のズレ防止による品質の安定化や液晶表示装置の組立効率の向上などの点より粘着層等の透明接着層を介して積層一体化されていることが好ましい。ちなみに図例では、コレステリック液晶層の１と２や１／２波長板６、二色性偏光板４や位相差板５がそれぞれ粘着層３を介して接着一体化されている。
【００２６】
粘着層は、例えばアクリル系重合体やシリコーン系ポリマー、ポリエステルやポリウレタン、ポリエーテルや合成ゴムなどの適宜なポリマーをベースポリマーとする粘着剤などの適宜な粘着性物質を用いて形成することができる。就中アクリル系粘着剤の如く光学的透明性や耐候性、耐熱性等に優れて熱や湿度の影響で浮きや剥がれ等を生じにくいものが好ましく用いうる。
【００２７】
ちなみに前記のアクリル系粘着剤の例としては、メチル基やエチル基やブチル基等の炭素数が２０以下のアルキル基を有する（メタ）アクリル酸のアルキルエステルと、（メタ）アクリル酸や（メタ）アクリル酸ヒドロキシエチル等の改良成分からなるアクリル系モノマーを、ガラス転移温度が０℃以下となる組合せにて共重合してなる、重量平均分子量が１０万以上のアクリル系重合体をベースポリマーとするものなどがあげられるが、これに限定されない。
【００２８】
粘着層の形成は、例えばカレンダーロール法等による圧延方式、ドクターブレード法やグラビアロールコータ法等による塗工方式などの適宜な方式で粘着性物質をコレステリック液晶層等の形成素材に付設する方式、あるいはそれに準じてセパレータ上に粘着層を形成しそれをコレステリック液晶層等の形成素材に移着する方式などの適宜な方式で行うことができる。
【００２９】
なお粘着層は、それに透明粒子を含有させる方式などにより光拡散型のものとして形成することもできる。その透明粒子には、例えばシリカやアルミナ、チタニアやジルコニア、酸化錫や酸化インジウム、酸化カドミウムや酸化アンチモン等からなる、導電性のこともある無機系粒子、架橋又は未架橋のポリマー等からなる有機系粒子などの適宜なものを１種又は２種以上用いうる。
【００３０】
図２の例の如く光学素子の外表面には必要に応じ液晶セル等の他部材との接着を目的とした粘着層３を設けることもできる。その粘着層が表面に露出する場合には実用に供するまでの間、汚染防止等の保護を目的にその表面をセパレータなどで仮着カバーしておくこともできる。また光学素子の形成素材が表面に露出する場合にはその露出表面を表面保護フィルムにて接着カバーして傷付き等から保護することもできる。
【００３１】
前記のセパレータや表面保護フィルムは、光学素子の実用段階では剥離除去されその際に静電気やそれによるゴミ付着が生じる場合があるので必要に応じて帯電防止処理したセパレータや表面保護フィルムを用いることができる。また同様に例えば帯電防止層を光学素子の形成素材の層間や表面に位置させる方式などの適宜な方式で帯電防止処理した光学素子とすることもできる。
【００３２】
光学素子は、各種の用途に用いることができ特に正面指向性の向上を目的とした面光源装置や輝度の向上を目的とした液晶表示装置の形成に好ましく用いうる。面光源装置は、例えば三波長管よりなる蛍光灯を光源とするサイドライト型や直下型等の面光源上に光学素子を配置する方式などにより形成することができる。また液晶表示装置は、例えば前記の面光源装置における光学素子の上側に必要に応じ偏光板等を介して適宜な液晶セルを配置する方式などにより形成することができる。その場合、光学素子が二色性偏光板を有するときにはそれを有しないコレステリック液晶層側が面光源側となるように配置される。
【００３３】
前記において例えば波長約４４０nm、約５５０nm及び約６１０nmに輝線を示す三波長管よりなる汎用な蛍光灯（冷陰極管）を光源とする面光源を用いる場合、正面指向性に優れる面光源装置を得る点より好ましく用いうる光学素子は、円偏光の選択反射波長域が５５０〜６１０nmの範囲内にあるコレステリック液晶層と、当該波長域が６１０nm以上、就中その短波長端が６１０〜６３０nm程度で長波長端が大きいもの、従って当該波長域の短波長端が少なくとも６１０nmでその波長域が可及的に大きいもの、実用的には当該波長域が６１０〜８００nmの範囲内にあるコレステリック液晶層との２種以上（円偏光の左右を逆転させる関係のコレステリック液晶層では合計４種以上）、特にそれらと当該波長域が４４０〜５５０nmの範囲内にあるコレステリック液晶層との３種以上（円偏光の左右を逆転させる関係のコレステリック液晶層では合計６種以上）を用いて前記３種の輝線に対応した選択反射波長域を示すものである。
【００３４】
前記のように正面指向性に優れる面光源装置を得る点より好ましく用いうる光学素子は、三波長管による輝線に対応した選択反射波長域を示すものである。さらに入射角が２０度超となる輝線を遮光し、入射角が２０度以内の正面指向性に優れる輝線を透過させる点よりは、上記したcosθの関与による短波長側シフトに基づいて光源の各輝線よりも１０nm以上、就中１５〜１００nm、特に２０〜５０nm長い波長を選択反射波長域の短波長側の端とするコレステリック液晶層を用いた光学素子が好ましく用いられる。
【００３５】
上記において光学素子で遮光されて面光源側に反射された光は光反射層を介して閉じ込めることができる。従ってその場合には、面光源の発光を遮ることなく光反射層を設けうるサイドライト型導光板等による面光源の使用が好ましい。導光板等の底面に光反射層を設けて前記遮光による反射光を光学素子と光反射層の間に閉じ込めることにより、その間に介在する導光板等による屈折や拡散ないし散乱等による光路変更で光学素子を透過しうる入射角の小さい光となり、それにより光学素子を正面指向性よく透過して輝度の向上を図ることができる。
【００３６】
面光源装置や液晶表示装置の形成に際して光学素子は、面光源の発光面や液晶セルの視認面又は／及び背面等の適宜な位置に単に設置するだけであってもよいが、他部材とのスティッキングや耐熱性等の性能試験時などにおけるカール、ウネリの発生を防止する点などより粘着層等の透明接着層を介して面光源や液晶セル等に接着処理することが好ましい。なお面光源装置や液晶表示装置の形成に際しては、防眩層や反射防止層、光拡散層などの適宜な光学層の１層又は２層以上を適宜な位置に配置することができる。
【００３７】
【実施例】
実施例１
厚さ８０μmの三酢酸セルロースフィルムの上にラビング配向膜を介しコレステリック液晶ポリマーを塗布し配向処理して選択反射波長域が５７０〜６０５nmの左円偏光反射型及び右円偏光反射型のコレステリック液晶層を形成し、それらを厚さ２０μmのアクリル系粘着層を介し接着して光学素子を得た。
【００３８】
実施例２
ポリカーボネートからなる１／２波長板の両側に厚さ２０μmのアクリル系粘着層を介して実施例１に準じた右円偏光反射型のコレステリック液晶層を接着して光学素子を得た。
【００３９】
実施例３
実施例１に準じ選択反射波長域が４６０〜４８９nm、５７０〜６０３nm又は６３０nm〜６７０nmの左円偏光反射型及び右円偏光反射型のコレステリック液晶層を形成し、それらをアクリル系粘着層を介し接着積層して光学素子を得た。
【００４０】
比較例
頂角が９０℃の市販プリズムシートを光学素子として用いた。
【００４１】
評価試験
導光板の側面に輝線波長が４３８nmと５４５nmと６１０nmの三波長管よりなる蛍光灯を配置してなるサイドライト型面光源の発光面に光拡散シートを介し実施例、比較例で得た光学素子を載置して面光源装置を形成し輝度計（トプコン社製、ＢＭ７）にてその光学素子上の正面輝度を調べた。
【００４２】
前記の結果を次表に示した。
0004814419.tif 000002
【図面の簡単な説明】
【図１】実施例の断面図
【図２】他の実施例の断面図
【符号の説明】
１、２：コレステリック液晶層
３：粘着層
４：二色性偏光板
５：位相差板
６：１／２波長板
【図１】
0004814419.tif 000003
【図２】
0004814419.tif 000004